(57)【要約】【課題】スループットの変化の要因を判断するのに必要な情報を表示して、試験の効率を向上させることができる移動端末試験装置を提供すること。【解決手段】画像を表示する表示部１６と、移動体通信端末２とパケット信号を送受信するサーバ部１３と、移動体通信端末２への送信信号に伝搬環境を模擬して送信する伝搬環境模擬部１１と、所定のタイミングで伝搬環境模擬部１１に伝搬環境の模擬を行なわせる試験制御部１８と、サーバ部１３からパケット信号を送信させて測定したスループットの時間変化を表示部１６に表示させる測定処理部１４と、を備え、試験制御部１８は、伝搬環境模擬部１１に伝搬環境の模擬を行なわせたことを測定処理部１４に通知し、測定処理部１４は、スループットの時間変化を表示部１６に表示させるとき、伝搬環境の模擬を行なわせた時点にマーカを表示させる。【選択図】図１
2018056613.tif 000002
【特許請求の範囲】
【請求項１】
設定された試験条件に従って移動体通信の基地局を擬似して移動体通信端末（２）を試験する移動端末試験装置（１）であって、
画像を表示する表示部（１６）と、
前記移動体通信端末とパケット信号を送受信するサーバ部（１３）と、
前記移動体通信端末への送信信号に伝搬環境を模擬して送信する伝搬環境模擬部（１１）と、
所定のタイミングで前記伝搬環境模擬部に前記伝搬環境の模擬を行なわせる試験制御部（１８）と、
前記サーバ部からパケット信号を送信させて測定したスループットの時間変化を前記表示部に表示させる測定処理部（１４）と、を備え、
前記試験制御部は、前記伝搬環境模擬部に前記伝搬環境の模擬を行なわせたことを前記測定処理部に通知し、前記測定処理部は、前記スループットの時間変化を前記表示部に表示させるとき、前記伝搬環境の模擬を行なわせた時点を示す情報を表示させる移動端末試験装置。
【請求項２】
前記測定処理部は、前記スループットの時間変化とともに、送信した前記パケット信号に対する応答のうちの否定応答の割合の時間変化を前記表示部に表示させる請求項１に記載の移動端末試験装置。
【請求項３】
前記測定処理部は、指定された前記スループットの測定期間中の任意の時点における前記移動体通信端末との通信に関する情報を前記表示部に表示させる請求項１または請求項２に記載の移動端末試験装置。
【請求項４】
前記測定処理部は、前記移動体通信端末との間の通信プロトコルのレイヤ毎に前記スループットの時間変化を表示させる請求項１から請求項３のいずれか一項に記載の移動端末試験装置。
【請求項５】
設定された試験条件に従って移動体通信の基地局を擬似して移動体通信端末（２）を試験する移動端末試験装置（１）のスループット測定結果表示方法であって、
前記移動体通信端末にパケット信号を送信してスループットを測定するステップと、
前記スループットの測定中の所定のタイミングで前記移動体通信端末への送信信号に伝搬環境を模擬して送信するステップと、
前記スループットの時間変化を表示させるとき、前記伝搬環境の模擬を行なわせた時点を示す情報を表示させるステップと、を備えるスループット測定結果表示方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行なわせ、この通信の内容を確認する試験を行なっている。
【０００３】
このような試験装置において、移動体通信端末との間で送受信されるデータの単位時間当たりの転送量（スループット）を測定する試験がある。このスループットの試験においては、試験装置においてフェーディングやノイズ付加などの伝搬環境の模擬を行ない、その影響を確認する試験もある。
【０００４】
特許文献１には、移動体通信端末との間のスループットの時間変化をグラフで表示する試験装置が開示されている。
【先行技術文献】
【特許文献】
【０００５】
【特許文献１】国際公開第２００８／０９６５５１号
【発明の概要】
【発明が解決しようとする課題】
【０００６】
しかしながら、このようにスループットの時間変化を表示するだけでは、スループットの変化が移動体通信端末の受信感度や試験装置の処理などの内部要因によって生じているのか、またはフェーディングやノイズ付加などの外部要因によって生じているのかが判断できなかった。
【０００７】
そこで、本発明は、スループットの変化の要因を判断するのに必要な情報を表示して、試験の効率を向上させることができる移動端末試験装置を提供することを目的としている。
【課題を解決するための手段】
【０００８】
本発明の移動端末試験装置は、設定された試験条件に従って移動体通信の基地局を擬似して移動体通信端末を試験する移動端末試験装置であって、画像を表示する表示部と、前記移動体通信端末とパケット信号を送受信するサーバ部と、前記移動体通信端末への送信信号に伝搬環境を模擬して送信する伝搬環境模擬部と、所定のタイミングで前記伝搬環境模擬部に前記伝搬環境の模擬を行なわせる試験制御部と、前記サーバ部からパケット信号を送信させて測定したスループットの時間変化を前記表示部に表示させる測定処理部と、を備え、前記試験制御部は、前記伝搬環境模擬部に前記伝搬環境の模擬を行なわせたことを前記測定処理部に通知し、前記測定処理部は、前記スループットの時間変化を前記表示部に表示させるとき、前記伝搬環境の模擬を行なわせた時点を示す情報を表示させるものである。
【０００９】
この構成により、スループットの時間変化の表示に、伝搬環境を模擬させたタイミングが表示される。このため、スループットの変化が、伝搬環境の模擬などの外部要因で発生しているかどうかを容易に判断することができる。
【００１０】
また、本発明の移動端末試験装置において、前記測定処理部は、前記スループットの時間変化とともに、送信した前記パケット信号に対する応答のうちの否定応答の割合の時間変化を前記表示部に表示させるものである。
【００１１】
この構成により、スループットの時間変化と一緒に否定応答の割合の時間変化が表示される。このため、スループットの変化が、否定応答の増加などの移動体通信端末の内部要因で発生しているかどうかを容易に判断することができる。
【００１２】
また、本発明の移動端末試験装置において、前記測定処理部は、指定された前記スループットの測定期間中の任意の時点における前記移動体通信端末との通信に関する情報を前記表示部に表示させるものである。
【００１３】
この構成により、スループットの測定期間中の任意の時点の移動体通信端末との通信に関する情報が表示される。このため、任意の時点での移動体通信端末との通信状態を確認することができ、スループットの変化の要因を容易に判断することができる。
【００１４】
また、本発明の移動端末試験装置において、前記測定処理部は、前記移動体通信端末との間の通信プロトコルのレイヤ毎に前記スループットの時間変化を表示させるものである。
【００１５】
この構成により、移動体通信端末との間の通信プロトコルのレイヤ毎にスループットの時間変化が表示される。このため、スループットの変化が、いずれかのレイヤの原因で発生しているがどうかを容易に判断することができる。
【００１６】
また、本発明の移動端末試験装置のスループット測定結果表示方法は、設定された試験条件に従って移動体通信の基地局を擬似して移動体通信端末を試験する移動端末試験装置のスループット測定方法であって、前記移動体通信端末にパケット信号を送信してスループットを測定するステップと、前記スループットの測定中の所定のタイミングで前記移動体通信端末への送信信号に伝搬環境を模擬して送信するステップと、前記スループットの時間変化を表示させるとき、前記伝搬環境の模擬を行なわせた時点を示す情報を表示させるステップと、を備えるものである。
【００１７】
この構成により、スループットの時間変化の表示に、伝搬環境を模擬させたタイミングが表示される。このため、スループットの変化が、伝搬環境の模擬などの外部要因で発生しているかどうかを容易に判断することができる。
【発明の効果】
【００１８】
本発明は、スループットの変化の要因を判断するのに必要な情報を表示して、試験の効率を向上させることができる移動端末試験装置を提供することができる。
【図面の簡単な説明】
【００１９】
【図１】図１は、本発明の一実施形態に係る移動端末試験装置のブロック図である。
【図２】図２は、本発明の一実施形態に係る移動端末試験装置のスループット測定結果の表示例を示す図である。
【図３】図３は、本発明の一実施形態に係る移動端末試験装置のスループット測定結果の範囲指定の表示例を示す図である。
【図４】図４は、本発明の一実施形態に係る移動端末試験装置のスループット測定結果の検索結果の表示例を示す図である。
【図５】図５は、本発明の一実施形態に係る移動端末試験装置のスループット測定結果の状態表示の例を示す図である。
【発明を実施するための形態】
【００２０】
以下、図面を参照して、本発明の実施形態に係る移動端末試験装置について詳細に説明する。
【００２１】
図１において、本発明の一実施形態に係る移動端末試験装置１は、擬似基地局として同軸ケーブル等を介して有線で移動体通信端末２とＲＦ（無線周波数）信号を送受信するようになっている。なお、移動端末試験装置１は、アンテナを介して無線で移動体通信端末２とＲＦ信号を送受信するようにしてもよい。
【００２２】
移動端末試験装置１は、伝搬環境模擬部１１と、通信レイヤ処理部１２と、サーバ部１３と、測定処理部１４と、入力部１５と、表示部１６と、表示制御部１７と、試験制御部１８と、を含んで構成されている。
【００２３】
伝搬環境模擬部１１は、移動体通信端末２との間でＲＦ信号を送受信するものである。伝搬環境模擬部１１は、通信レイヤ処理部１２の送信データを、符号化や、変調、周波数変換などしてＲＦ信号を生成して送信する。また、伝搬環境模擬部１１は、移動体通信端末２から受信したＲＦ信号を、周波数変換や、復調、復号などして通信レイヤ処理部１２に出力する。
【００２４】
伝搬環境模擬部１１は、試験制御部１８からの指示により、移動体通信端末２へのＲＦ信号にノイズを付加したり、フェーディングをかけたり、などの伝搬環境の模擬を行なう。
【００２５】
通信レイヤ処理部１２は、伝搬環境模擬部１１を介して移動体通信端末２との間でＲＦ信号を送受信して、移動体通信端末２との間の通信プロトコルの通信レイヤ毎に呼制御やデータ送信制御などを行なうものである。通信レイヤ処理部１２は、スループット算出やNACK(Negative ACKnowledgement：否定応答)率算出のためのデータを通信レイヤ毎に時刻情報と関連付けてハードディスク等の記憶装置（不図示）に記憶させる。なお、同じパケットの各レイヤのスループット算出やNACK率算出のためのデータは、同じ時刻のデータとして記憶される。
【００２６】
サーバ部１３は、移動体通信端末２にデータを送信するサーバを疑似する。サーバ部１３は、試験条件として設定されたスループットでデータを移動体通信端末２に送信する。
【００２７】
測定処理部１４は、通信レイヤ処理部１２の記憶させたデータに基づいて、スループットやNACK率を算出する。測定処理部１４は、表示制御部１７に算出結果を送信して、表示部１６に算出結果を表示させる。
【００２８】
入力部１５は、ユーザからの操作入力を受け付ける。入力部１５は、タッチパッドやキーボードやロータリーノブやプッシュボタンなどによって構成される。
【００２９】
表示部１６は、試験条件の設定情報を入力させる画像や試験中の状態を示す画像などを表示する。表示部１６は、液晶ディスプレイ等の画像表示機器で構成される。
【００３０】
表示制御部１７は、表示部１６に表示させる画像を生成して表示させる。表示制御部１７は、測定処理部１４や試験制御部１８の指示により画像の生成と表示の制御を行なうようになっている。また、表示制御部１７は、入力部１５に入力された情報に基づいて表示部１６の表示を変更させたり、入力部１５に入力された情報を測定処理部１４や試験制御部１８に送信したりする。
【００３１】
試験制御部１８は、入力部１５に入力された指示に従って、試験条件の設定画面を表示制御部１７により表示部１６に表示させて試験の実施に必要な情報を入力させる。また、試験制御部１８は、入力部１５に入力された指示に従って、記憶された試験条件に基づいて試験を実行させたり、通信レイヤ処理部１２による移動体通信端末２との通信の状態などの情報に基づいて試験中の状態などを表示制御部１７により表示部１６に表示させたりする。
【００３２】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３３】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３４】
このように、本実施の形態において、通信レイヤ処理部１２、サーバ部１３、測定処理部１４、表示制御部１７、試験制御部１８は、ＣＰＵによって構成され、伝搬環境模擬部１１は、通信モジュールによって構成される。
【００３５】
このような構成の移動端末試験装置１において、移動体通信端末２の試験を行なう場合、まず、ユーザにより試験条件の設定が行なわれる。試験制御部１８は、ユーザによる入力部１５の操作により試験条件設定の機能が選択されると、例えば、表示部１６に試験条件設定画面を表示させて、移動端末試験装置１で擬似する基地局の情報やサーバ部１３の疑似するサーバの情報などを設定させる。
【００３６】
また、試験制御部１８は、ユーザによる入力部１５の操作により試験シナリオ設定の機能が選択されると、例えば、表示部１６に試験シナリオ設定画面を表示させて、実行させたいシーケンスやスループット測定時のデータ送信の条件などを設定させる。
【００３７】
このような試験条件や試験シナリオが設定された後、移動端末試験装置１は、移動体通信端末２と有線で接続され、入力部１５の操作により記憶された試験条件の実行が選択されると、試験制御部１８は、選択された試験条件に従って通信レイヤ処理部１２に報知情報の内容や位置登録処理における送信情報などを通知し、擬似基地局としての動作を開始させる。
【００３８】
また、試験制御部１８は、サーバ部１３に疑似するサーバの情報を通知してサーバとしての動作を開始させる。
【００３９】
その後、移動体通信端末２と移動端末試験装置１が接続された状態で、移動体通信端末２の電源がオンされると、移動体通信端末２から位置登録信号やサーバ部１３への接続要求信号が送信される。
【００４０】
通信レイヤ処理部１２は、位置登録信号を受信すると、設定された試験条件に従って信号を返信し、例えば、位置登録を正常に終了させる。
【００４１】
サーバ部１３は、移動体通信端末２からの接続要求信号を受信すると、設定された試験条件に従って、例えば、移動体通信端末２からの接続要求を正常に終了させ、パケットデータを送受信可能な状態にする。
【００４２】
このような移動端末試験装置１において、試験制御部１８は、ユーザによる入力部１５の操作によりスループットの測定用の試験シナリオが選択されると、シナリオに設定されているデータ送信の条件などをサーバ部１３に通知して、データ送信の準備を行なわせる。
【００４３】
サーバ部１３は、試験制御部１８からデータ送信の条件などの情報を受信すると、受信した条件でデータ送信できるようにして、試験制御部１８に準備完了を返信する。
【００４４】
試験制御部１８は、サーバ部１３から準備完了を受信すると、例えば、表示部１６にメッセージを表示するなどして、試験準備の完了を知らせる。
【００４５】
その後、例えば、ユーザの移動体通信端末２の操作により、サーバ部１３にデータ送信の指示が通知されると、サーバ部１３は、設定された条件でデータ送信を開始する。
【００４６】
サーバ部１３は、データ送信を開始すると、試験制御部１８にデータ送信の開始を通知する。
【００４７】
試験制御部１８は、サーバ部１３からのデータ送信の開始の通知を受信すると、例えば、表示部１６にメッセージを表示するなどして、データ送信の開始を知らせる。また、試験制御部１８は、測定処理部１４にデータ送信の開始を通知する。
【００４８】
測定処理部１４は、試験制御部１８からデータ送信の開始を受信すると、受信した時点の時刻情報をデータ送信の開始時刻として記憶装置に記憶する。なお、試験制御部１８からデータ送信の開始時刻を通知し、その時刻を記憶するようにしてもよい。
【００４９】
伝搬環境模擬部１１は、スループットの測定中に移動体通信端末２へのＲＦ信号にノイズを付加させたり、フェーディングをかけさせたりなどの伝搬環境の模擬を行なわせることができる。
【００５０】
試験制御部１８は、例えば、入力部１５の操作によりノイズ付加の開始が選択されると、伝搬環境模擬部１１にノイズ付加の開始を通知する。同時に、試験制御部１８は、測定処理部１４にもノイズ付加の開始を通知する。
【００５１】
伝搬環境模擬部１１は、試験制御部１８からノイズ付加の開始を受信すると、移動体通信端末２へのＲＦ信号にノイズを付加する。
【００５２】
測定処理部１４は、試験制御部１８からノイズ付加の開始を受信すると、受信した時点の時刻情報をノイズ付加の開始時刻として記憶装置に記憶する。なお、試験制御部１８からノイズ付加の開始時刻を通知し、その時刻を記憶するようにしてもよい。
【００５３】
試験制御部１８は、例えば、入力部１５の操作によりノイズ付加の終了が選択されると、伝搬環境模擬部１１にノイズ付加の終了を通知する。同時に、試験制御部１８は、測定処理部１４にもノイズ付加の終了を通知する。
【００５４】
伝搬環境模擬部１１は、試験制御部１８からノイズ付加の終了を受信すると、移動体通信端末２へのＲＦ信号にノイズを付加するのをやめる。
【００５５】
測定処理部１４は、試験制御部１８からノイズ付加の終了を受信すると、受信した時点の時刻情報をノイズ付加の終了時刻として記憶装置に記憶する。なお、試験制御部１８からノイズ付加の終了時刻を通知し、その時刻を記憶するようにしてもよい。
【００５６】
試験制御部１８は、例えば、入力部１５の操作によりフェーディングの開始が選択されると、伝搬環境模擬部１１にフェーディングの開始を通知する。同時に、試験制御部１８は、測定処理部１４にもフェーディングの開始を通知する。
【００５７】
伝搬環境模擬部１１は、試験制御部１８からフェーディングの開始を受信すると、移動体通信端末２へのＲＦ信号にフェーディングをかける。
【００５８】
測定処理部１４は、試験制御部１８からフェーディングの開始を受信すると、受信した時点の時刻情報をフェーディングの開始時刻として記憶装置に記憶する。なお、試験制御部１８からフェーディングの開始時刻を通知し、その時刻を記憶するようにしてもよい。
【００５９】
試験制御部１８は、例えば、入力部１５の操作によりフェーディングの終了が選択されると、伝搬環境模擬部１１にフェーディングの終了を通知する。同時に、試験制御部１８は、測定処理部１４にもフェーディングの終了を通知する。
【００６０】
伝搬環境模擬部１１は、試験制御部１８からフェーディングの終了を受信すると、移動体通信端末２へのＲＦ信号にフェーディングをかけるのをやめる。
【００６１】
測定処理部１４は、試験制御部１８からフェーディングの終了を受信すると、受信した時点の時刻情報をフェーディングの終了時刻として記憶装置に記憶する。なお、試験制御部１８からフェーディングの終了時刻を通知し、その時刻を記憶するようにしてもよい。
【００６２】
その後、例えば、ユーザの移動体通信端末２の操作により、サーバ部１３にデータ送信の終了が通知されると、サーバ部１３は、データ送信を終了する。
【００６３】
サーバ部１３は、データ送信を終了すると、試験制御部１８にデータ送信の終了を通知する。
【００６４】
試験制御部１８は、サーバ部１３からのデータ送信の終了の通知を受信すると、例えば、表示部１６にメッセージを表示するなどして、データ送信の終了を知らせる。また、試験制御部１８は、測定処理部１４にデータ送信の終了を通知する。
【００６５】
測定処理部１４は、試験制御部１８からデータ送信の終了を受信すると、受信した時点の時刻情報をデータ送信の終了時刻として記憶装置に記憶する。なお、試験制御部１８からデータ送信の終了時刻を通知し、その時刻を記憶するようにしてもよい。
【００６６】
このようにスループットの測定を行なった後、移動端末試験装置１では、スループットの時間変化を確認することができる。
【００６７】
測定処理部１４は、例えば、入力部１５の操作により、スループット測定データの表示が選択されると、例えば、記憶装置に記憶されている測定データの一覧を表示部１６に表示させ、表示する測定データを選択させる。
【００６８】
測定処理部１４は、例えば、入力部１５の操作により、測定データの一覧の中から一つが選択されると、選択された測定データを図２に示すように表示部１６に表示させる。なお、図２は、移動体通信端末２との通信プロトコルがＬＴＥ（Long Term Evolution）の場合を示している。
【００６９】
図２において、スループット結果表示部１０１は、ＬＴＥの各レイヤ（PHY/MAC(PHYsical/Media Access Control)、RLC(Radio Link Control)、PDCP(Packet Data Convergence Protocol)、Uplane(User-plane)）のスループットの時間変化がグラフで表示される。スループットの値は、例えば、予め設定された所定時間内でのスループットの値である。なお、各レイヤのスループットは、各レイヤのヘッダを除いたデータ部分のスループットとなる。
【００７０】
NACK率表示部１０２は、ＬＴＥの各レイヤのNACK率の時間変化がグラフで表示される。NACK率は、送信パケットに対する受信応答のうちNACKの割合を示すものである。NACK率は、例えば、予め設定された所定時間内でのACK（ACKnowledgement：肯定応答）とNACKの総数に対するNACKの数の百分率（(NACK数/Total数)＊100）で表される。
【００７１】
測定処理部１４は、記憶しているノイズ付加の開始時刻、終了時刻やフェーディングの開始時刻、終了時刻に基づいて、対応する時刻の位置にマーカ１０３を表示させる。
【００７２】
図２において、マーカ１０３の上部に表示されている「AWGN:ON」はノイズ付加の開始を示し、「Fader:ON」はフェーディングの開始を示し、「Fader:Off」はフェーディングの終了を示している。
【００７３】
測定処理部１４は、スループット結果表示部１０１及びNACK率表示部１０２に、カーソル１０４を表示させる。測定処理部１４は、カーソル１０４の位置に対応する時刻のスループットの情報を、指定時刻スループット表示部１０５に表示させる。また、測定処理部１４は、カーソル１０４の位置に対応する時刻のNACK率の情報を、指定時刻NACK率表示部１０６に表示させる。
【００７４】
測定処理部１４は、入力部１５の、例えば、ロータリーノブの操作で、グラフ上のカーソル１０４の位置を時間軸上で移動（図では、左右に移動）させ、移動された位置に対応する時刻の情報を指定時刻スループット表示部１０５及び指定時刻NACK率表示部１０６に表示させる。
【００７５】
指定時刻スループット表示部１０５には、各レイヤ（PHY/MAC、RLC、PDCP、Uplane）のスループット(Tput)の値と、移動体通信端末２から受信した、移動体通信端末２での受信状態の情報が表示される。
【００７６】
移動体通信端末２での受信状態の情報としては、例えば、RV(Redundancy Version)のインデックス値（図２の「RV Index(0 or 1)」）やCSI(Channel State Information)の情報（図２の「MAC CSI Report」）のMCS(Modulation and Coding Scheme)、PMI(Precoding Matrix Indicator)、RI(Rank Indicator)などが表示される。
【００７７】
指定時刻NACK率表示部１０６には、各レイヤ（PHY/MAC、RLC、PDCP、Uplane）のNACK率の値が表示される。
【００７８】
このように、マーカ１０３でノイズ付加やフェーディングの開始または終了を表示しているため、スループットの変化が内部要因（移動体通信端末２の受信感度や移動端末試験装置１の各レイヤ処理など）によって生じているのか、または外部要因（ノイズ付加、フェーディングなど）によって生じているのかを容易に判断することができる。
【００７９】
また、カーソル１０４の位置に対応する時刻のスループットや移動体通信端末２の受信情報、NACK率が表示されるため、スループットの変化の要因を容易に判断することができる。
【００８０】
図３に示すように、測定処理部１４は、スループット結果表示部１０１及びNACK率表示部１０２に、時間枠１１１を表示させる。測定処理部１４は、時間枠１１１の枠内に対応する時間範囲のスループットの情報を範囲指定スループット表示部１１２に表示させる。
【００８１】
測定処理部１４は、例えば、入力部１５の数字キーにより時間枠１１１の開始時刻と終了時刻を入力させて、対応する時刻の位置に時間枠１１１を表示させる。時間枠１１１は、入力部１５のマウスの操作により表示部１６上で範囲を指定させるようにしてもよい。
【００８２】
測定処理部１４は、範囲指定スループット表示部１１２に、時間枠１１１に対応する開始経過時間（図３の「Start:」）、終了経過時間（図３の「End:」）、時間幅（終了経過時間−開始経過時間、図３の「Span:」）を表示させる。なお、経過時間は、スループット測定開始（サーバ部１３からのデータ送信開始）からの経過時間である。
【００８３】
測定処理部１４は、範囲指定スループット表示部１１２に、各レイヤ（PHY/MAC、RLC、PDCP、Uplane）の時間枠１１１に対応する時間範囲のスループットの平均値（図３の「AVG:」）、最大値（図３の「Peak:」）、最小値（図３の「Neg:」）を表示させる。
【００８４】
また、測定処理部１４は、時間枠１１１で指定された時間範囲内で、スループットの最大値や最小値を検索して表示させる。
【００８５】
測定処理部１４は、入力部１５の操作により時間枠１１１内の検索が指示されると、例えば、図４に示すように、各レイヤ全体（最下位レイヤ）のスループットの最大値から大きい順に三番目までをP1、P2、P3として、そのポイントを点で表示させる。また、測定処理部１４は、各レイヤ全体のスループットの最小値から小さい順に三番目までをN1、N2、N3として、そのポイントを点で表示させる。さらに、測定処理部１４は、最上位レイヤ（Uplane）と最下位レイヤ（PHY/MAC）とのスループットの差の最大値から大きい順に三番目までをD1、D2、D3として、その差を矢印で表して表示させる。
【００８６】
測定処理部１４は、最大値から三番目までのスループット値と、最小値から三番目までのスループット値と、最上位レイヤと最下位レイヤとの差の最大値から三番目までの差をランキング表示部１２１に表示させる。
【００８７】
なお、最下位レイヤのスループットの最大値及び最小値の検索としたが、レイヤを指定してのスループットの検索としてもよい。また、最上位レイヤと最下位レイヤとの差の最大値の検索としたが、指定したレイヤ間の差の最大値の検索としてもよい。
【００８８】
また、時間枠１１１内の時刻の範囲での検索としたが、スループット測定の全期間での検索としてもよい。この場合、測定処理部１４は、ランキング表示部１２１の各ポイント（P1やN１、D1など）を入力部１５の、例えばマウスの操作により指定された場合、指定されたポイントの近傍を表示部１６に表示させるようにするとよい。
【００８９】
このように、時間範囲を指定させ、指定された時間範囲内での各レイヤのスループットの平均値や最大値、最小値を表示させているため、確認したい範囲でのスループットの平均値、最大値、最小値を容易に確認することができ、スループットの変化の要因を容易に判断することができる。
【００９０】
また、スループットの最大値の点や、最小値の点、レイヤ間の差の大きい点を検索して表示させているため、スループットの高い点、低い点、レイヤ間の差の大きい点を容易に確認することができ、スループットの変化の要因を容易に判断することができる。
【００９１】
測定処理部１４は、例えば、入力部１５の操作によりスループットの閾値設定が選択され、閾値が設定されると、図５に示すように、スループット結果表示部１０１のスループットの時間変化を示すグラフ上の閾値に対応する位置に閾値線１３１を表示させる。
【００９２】
測定処理部１４は、スループット結果表示部１０１及びNACK率表示部１０２と同じ時間軸を持つスループット状態表示部１３２に、例えば、最上位レイヤ（Uplane）のスループット値が設定された閾値以上である期間にバー１３３を表示させる。測定処理部１４は、スループット値が設定された閾値以下である期間にバー１３３を表示させるようにしてもよい。また、レイヤを指定して閾値を設定させ、指定されたレイヤのスループット値が設定された閾値以上または以下の期間にバー１３３を表示させるようにしてもよい。
【００９３】
このように、スループットの閾値を設定させ、スループット値が閾値以上の期間にスループット状態表示部１３２にバー１３３を表示させているため、スループットの変化が周期的に起きているか否かを容易に確認することができる。
【００９４】
スループットの変化が周期的に起きている現象であれば、データ転送処理（受信側及び送信側）に問題がある可能性が高く、ランダムに起きている現象であれば、移動体通信端末２の挙動の特性（ＤＮＳ(Domain Name System)レスポンス処理などの予期しない挙動）もしくは無線接続の不安定などの可能性が高いので、これらを容易に切り分けることができる。
【００９５】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００９６】
１  移動端末試験装置
２  移動体通信端末
１１  伝搬環境模擬部
１２  通信レイヤ処理部
１３  サーバ部
１４  測定処理部
１６  表示部
１８  試験制御部
１０１  スループット結果表示部
１０２  NACK率表示部
１０３  マーカ
１０４  カーソル
１０５  指定時刻スループット表示部
１０６  指定時刻NACK率表示部
【図１】
2018056613.tif 000003
【図２】
2018056613.tif 000004
【図３】
2018056613.tif 000005
【図４】
2018056613.tif 000006
【図５】
2018056613.tif 000007